(57)【要約】【課題】  マイナスイオン及び電磁波（微弱エネルギー）と、スチームの相乗効果で、効果的な顔肌のケアができるようにした美顔用スチーマの提供。【解決手段】  水を貯水する貯水容器１と、貯水容器内の水を加熱気化させるヒータ２と、貯水容器に着脱可能に装着される蓋体３と、貯水容器からスチーム放出用ノズル４までの間に延長したスチーム経路５と、スチーム経路に設置されたスチームを微細化するための高圧放電装置６とを備え、貯水容器又は／及びスチーム経路又は／及びスチーム放出用ノズルに、多元素鉱物のパウダーが練り込み又はコーティングによって含有されている。【選択図】  図１
0003102862.tif 000002
【実用新案登録請求の範囲】
【請求項１】
水を貯水する貯水容器と、この貯水容器内の水を加熱気化させるヒータと、貯水容器に着脱可能に装着される蓋体と、ボイラーからスチーム放出用ノズルまでの間に延長したスチーム経路とを備え、
前記貯水容器又は／及びスチーム経路又は／及びスチーム放出用ノズルに、多元素鉱物のパウダーが練り込み又はコーティングによって含有されていることを特徴とする美顔用スチーマ。
【請求項２】
水を貯水する貯水容器と、この貯水容器内の水を加熱気化させるヒータと、貯水容器に着脱可能に装着される蓋体と、ボイラーからスチーム放出用ノズルまでの間に延長したスチーム経路と、スチーム経路に設置されたスチームを微細化するための高圧放電装置とを備え、
前記貯水容器又は／及びスチーム経路又は／及びスチーム放出用ノズルに、多元素鉱物のパウダーが練り込み又はコーティングによって含有されていることを特徴とする美顔用スチーマ。
【請求項３】
請求項１又は２記載の美顔用スチーマにおいて、多元素鉱物のパウダーに、遠赤外線放射材料のパウダーが混合されている美顔用スチーマ。
【考案の詳細な説明】
【技術分野】
【０００１】
本考案は、肌ケア装置としてのスチーム式美顔器に関し、特に、多元素鉱物から放射されるマイナスイオン及び電磁波と、スチームとの相乗効果によって効果的な顔肌のケアができるようにした美顔用スチーマに関する。
【背景技術】
【０００２】
従来、スチーム式美顔器としては、水を貯水する貯水容器と、この貯水容器内の水を加熱気化させるヒータと、貯水容器に着脱可能に装着される蓋体と、貯水容器からスチーム放出用ノズルまでの間に延長したスチーム経路と、スチーム経路に設置されたスチームを微細化するための高圧放電装置とを備えたものが知られている（特許文献１参照：従来技術１）。
このスチーム式美顔器では、貯水容器内の水をヒータにより加熱してスチームを発生させ、そのスチームがスチーム経路を通るときに高圧放電装置で微細化させ、この微細化したスチームをスチーム放出用ノズルから噴出させて顔に当て、顔肌のケアを行なうようになっている。
【０００３】
また従来、ヘアドライヤーのヒータや吹出口ノズルに、多元素鉱物のパウダーと遠赤外線放射材料のパウダーを混合した混合パウダーをコーティングさせたものが知られている（特許文献２参照：従来技術２）。
このヘアドライヤーでは、多元素鉱物のパウダーから放射されるマイナスイオンや遠赤外線放射材料のパウダーから放射される遠赤外線によって、毛髪や頭皮をケアしながら、低温で短時間に毛髪の乾燥やセットを行なうことができるという利点がある。
【０００４】
しかしながら、前記従来技術１は、顔肌のケアを対象としたスチーム式美顔器ではあるものの、微細化したスチームを顔に当てるだけの単なるスチームによる顔肌のケア技術であり、又、前記従来技術２は、毛髪や頭皮をケア対象としたヘアドライヤーである。
このように、従来において、スチームを顔肌に当てる美顔用スチーマであって、遠赤外線やマイナスイオンとの相乗効果によって効果的な顔肌のケアができるようにしたものは見当たらない。
【特許文献１】特開２００３−１５９３０５号公報
【特許文献２】実用新案登録３０７７９１０号公報
【考案の開示】
【考案が解決しようとする課題】
【０００５】
解決しようとする課題は、顔肌のケアを対象としたスチーム式美顔器であって、多元素鉱物から放射されるマイナスイオン及び電磁波とスチームとの相乗効果によって効果的な顔肌のケアができるようにする。
【課題を解決するための手段】
【０００６】
上記の課題を解決するために、本考案の美顔用スチーマ（請求項１）は、
水を貯水する貯水容器と、この貯水容器内の水を加熱気化させるヒータと、貯水容器に着脱可能に装着される蓋体と、貯水容器からスチーム放出用ノズルまでの間に延長したスチーム経路とを備え、
前記貯水容器又は／及びスチーム経路又は／及びスチーム放出用ノズルに、多元素鉱物のパウダーが練り込み又はコーティングによって含有されている構成とした。
【０００７】
又、本考案の美顔用スチーマ（請求項２）は、
水を貯水する貯水容器と、この貯水容器内の水を加熱気化させるヒータと、貯水容器に着脱可能に装着される蓋体と、貯水容器からスチーム放出用ノズルまでの間に延長したスチーム経路と、スチーム経路に設置されたスチームを微細化するための高圧放電装置とを備え、
前記貯水容器又は／及びスチーム経路又は／及びスチーム放出用ノズルに、多元素鉱物のパウダーが練り込み又はコーティングによって含有されている構成とした。
【０００８】
この場合、前記請求項１又は２記載の美顔用スチーマにおいて、多元素鉱物のパウダーに、遠赤外線放射材料のパウダーが混合されている態様がある（請求項３）。
【考案の効果】
【０００９】
本考案（請求項１及び２）では、スチーム又は微細化したスチームを顔に当てることによる顔肌のケアと、多元素鉱物のパウダーから放射されるマイナスイオン及び電磁波との相乗効果によって、効果的な顔肌のケアができる。
【００１０】
また、本考案（請求項３）では、多元素鉱物のパウダーに加えて遠赤外線放射材料のパウダーを混合させたので、この遠赤外線放射粉状体から放射される遠赤外線の作用を顔肌に与えることができる。
【考案を実施するための最良の形態】
【００１１】
以下、本考案の実施例を図面に基づいて詳細に説明する。
図１は本考案の実施例にかかる美顔用スチーマの概略断面図である。
【００１２】
本実施例の美顔用スチーマＡは、水を貯水する貯水容器１と、この貯水容器１内の水を加熱気化させるヒータ２と、貯水容器１に着脱可能に装着される蓋体３と、貯水容器１からスチーム放出用ノズル４までの間に延長したスチーム経路５と、スチーム経路５に設置されたスチームを微細化するための高圧放電装置６とを備え、これらがボディ本体７内に組み込まれている。
なお、前記ヒータ２、スチームのオン／オフの切替スイッチ（図示省略）と、高圧放電装置６は、制御回路（図示省略）によって、その作動が制御されるようになっている。
【００１３】
そして、前記貯水容器１には、多元素鉱物のパウダーと遠赤外線放射材料のパウダーを混合した混合パウダーがコーティングによって含有されている。
このコーティングは、コーティング剤である耐熱性ホーマイカに、多元素鉱物のパウダーと遠赤外線のパウダーを混合した混合パウダーを加えたものを貯水容器１の表面に塗布し、これを加熱炉に通してコーティング剤を飛ばして焼き付けたものである。
【００１４】
多元素鉱物とは、例えば真珠岩、松脂岩のように珪素を主成分とし、多数の元素がバランスよく含まれている鉱物をいい、この鉱物は電磁波（微弱エネルギー）を出し、これをスチームと共に顔肌に当てると、顔肌中の水分がミネラル化して顔肌中の蛋白質を活性化する。
この多元素鉱物は、例えば、真珠岩をボールミル等で約１〜３ミクロンに粉砕して多元素鉱物のパウダーに形成する。多元素鉱物のパウダーは２種類以上を適宜配合して使用することが好ましい。又、この多元素鉱物のパウダーはそのまま使用してもよいし、これを水と混合し、加熱又は加圧した後、上澄み液を真空凍結乾燥や噴射乾燥により粉末にしたものを使用してもよい。尚、多元素鉱物の例である真珠岩の成分を表1に示す。
【表１】
0003102862.tif 000003
【００１５】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等をパウダーにしたものを使用する。これらのパウダーは顔肌に適した波長の遠赤外線を放射するようにブレンドして使用する。
【００１６】
従って、この美顔用スチーマＡでは、貯水容器１内に収容した水をヒータ２により加熱してスチームを発生させ、そのスチームがスチーム経路５を通るときに高圧放電装置６で微細化させ、この微細化したスチームをスチーム放出用ノズル４から噴出させて顔に当て、顔肌のケアを行なうことができる。
【００１７】
そして、貯水容器１にコーティングによって含有させた多元素鉱物よってマイナスイオンを発生させることができる。
従って、このマイナスイオンによって顔肌の水分やスチームの水分にクラスター現象（水の分子集団を小さくする力）が生じ、顔肌に対するスチームの浸透を促進させて、顔肌に潤いを持たせることができるし、マイナスイオンによって顔肌の血行を良好にさせて、顔肌に張りを持たせることができる。
【００１８】
また、多元素鉱物から放射される４〜１４μｍの波長の電磁波（微弱エネルギ−）には、原子の核の周囲を電気的に変化させて原子、さらにその物質を励起状態（振動）にし、その結果、水のクラスタ（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
従って、顔肌中の水分をミネラル化して皮膚の蛋白質を活性化し、常に健康でツヤ、潤いのある顔肌のケア、血行の促進が得られる。
【００１９】
また、遠赤外線放射材料から遠赤外線が放射され、顔肌を内部から温めることができる。これにより、顔肌に対するスチームの浸透を促進させることができるし、顔肌の血行を良好にすることができる。
【００２０】
そして、前記した多元素鉱物から放射されるマイナスイオン及び電磁波、遠赤外線放射材料から放射される遠赤外線、それに微細化されたスチームとの相乗効果によって効果的な顔肌のケアができる。
【００２１】
なお、本考案において、実施例では、貯水容器に、多元素鉱物のパウダーと遠赤外線放射材料のパウダーを混合した混合パウダーをコーティングによって含有させた例を示したが、貯水容器以外に、スチーム経路やスチーム放出用ノズルに、多元素鉱物のパウダー又は遠赤外線放射材料の混合パウダーを含有させてもよい。
この場合の含有手段としては、実施例のように、コーテイングでもよいし、材料に練り込んでもよい。
【００２２】
又、美顔用スチーマの本体構造についても、実施例に限定されるものではなく、貯水容器内の水をヒータにより加熱してスチームを発生させ、そのスチームをスチーム放出用ノズルから噴出させる構造あるいは、前記スチームがスチーム経路を通るときに高圧放電装置で微細化させ、この微細化したスチームをスチーム放出用ノズルから噴出させる構造についても、本考案の構成を適用できる。
【図面の簡単な説明】
【００２３】
【図１】本考案の実施例にかかる美顔用スチーマの概略断面図である。
【符号の説明】
【００２４】
Ａ  美顔用スチーマ
１  貯水容器
２  ヒータ
３  蓋体
４  スチーム放出用ノズル
５スチーム経路
６高圧放電装置
７ボディ本体
【図１】
0003102862.tif 000004